(57)【要約】【課題】  カバー部材を設けることにより、異物（パーティクル）が試料表面に付着するのを低減することのできる検査装置を提供する。【解決手段】  検査装置は、電子ビーム源と、電子ビーム源から放射された電子ビームを導く一次電子光学系と、一次電子光学系により導かれた一次電子が照射される試料を配置するステージと、電子ビームの照射により試料の表面から放出された二次荷電粒子を導く二次電子光学系と、二次電子光学系により導かれた二次荷電粒子を検出する検出器を備えている。この検査装置には、ステージに配置される試料の表面を覆うようにステージの上方に設置され電子線を通過させる貫通孔を内部に有する隙間制御板と、二次系レンズのうち貫通孔の内部に配置されるコンデンサレンズに取り付けられ隙間制御板に対して垂直な方向でみたときの貫通孔とコンデンサレンズとの間の隙間をふさぐカバー部材が備えられる。【選択図】  図１５
2014212091.tif 000002
【特許請求の範囲】
【請求項１】
電子線を用いて試料表面を検査する検査装置であって、
電子ビーム源と、
一次系レンズを備え、前記電子ビーム源から放射された電子ビームを導く一次電子光学系と、
前記一次電子光学系により導かれた一次電子が照射される試料を配置するステージと、
二次系レンズを備え、前記電子ビームの照射により前記試料の表面から放出された二次荷電粒子を導く二次電子光学系と、
前記二次電子光学系により導かれた二次荷電粒子を検出する検出器と、
前記ステージに配置される試料の表面を覆うように前記ステージの上方に設置され、電子線を通過させる貫通孔を内部に有する隙間制御板と、
前記二次系レンズのうち前記貫通孔の内部に配置されるコンデンサレンズに取り付けられ、前記隙間制御板に対して垂直な方向でみたときの前記貫通孔と前記コンデンサレンズとの間の隙間をふさぐカバー部材と、
を備えることを特徴とする検査装置。
【請求項２】
前記隙間制御板に対して平行な方向でみたときに、前記隙間制御板と前記カバー部材との間には、隙間が設けられている、請求項１に記載の検査装置。
【請求項３】
前記隙間制御板に対して平行な方向でみたときの前記試料の表面と前記隙間制御板との間の隙間の幅は、５ｍｍ〜３０ｍｍであり、試料表面への異物付着を低減するための集塵器を備えていない、請求項１または２に記載の検査装置。
【請求項４】
真空チャンバの天井面に、支柱が取り付けられ、前記隙間制御板は、前記支柱を介して前記真空チャンバ内に取り付けられる、請求項１〜請求項３のいずれかに記載の検査装置。
【発明の詳細な説明】
【技術分野】
【０００１】
本発明は、電子線を用いて試料表面を検査する検査装置に関し、特に、試料表面（表、裏及び外周端面）に異物が付着するのを防止しつつ電子線を用いて試料表面を高感度で検査することができる検査装置に関する。
【背景技術】
【０００２】
電子線検査装置は、半導体ウェハ等の試料の表面に一次電子ビームを照射し、該試料表面から放出された二次電子又はミラー電子を検出して試料表面の画像を取得し、該画像に基づいて試料表面の欠陥、パターン評価等の検査を行うために用いられている。
【０００３】
また、半導体ウェハ等の試料を検査又は処理のために大気中及び真空中を搬送するが、このような搬送中に、例えば１００ｎｍ以下のパーティクル等の異物が試料表面に付着することを防止して、パターン上のキラー欠陥となる異物が試料表面に付着することを低減させることができれば、歩留まりが大きく向上されることが知られている。キラー欠陥は、半導体やＬＳＩ製造プロセスで、そのまま放置しておくと、配線幅や絶縁抵抗値が不十分な値となり、性能を著しく劣化させてしまうため、修正、不良判定等の何らかの処理が必要な欠陥である。
【０００４】
特に、電子線検査装置では、該装置が発生するパーティクル等の異物が試料表面に付着することを低減させることにより、高精度な測定・検査結果を得ることができる。これによって、試料表面への異物付着プロセスを特定し改善することができるので、例えば露光プロセスにおける欠陥を低減させたりすることができる。
【０００５】
従来、試料の搬送に関連して、パーティクル等の異物を極力発生させないような対策が行われている。例えば、試料の大気搬送系では、高機能フィルタとダウンフローを有するミニエンバイラメントを備え、このミニエンバイラメントの中に大気搬送系を格納するようにしている。更に、除電装置により試料の除電を行うことで、試料表面にパーティクルが付着することを抑制している。また、試料の真空搬送系では、ロードロックによって圧力の変動を制御すること等が行われている。しかしながら、微小サイズ、特に１００ｎｍ以下のパーティクル等の異物を低減することは、一般に困難であった。
【０００６】
このような問題点に鑑み、本出願人は、試料表面上の異物を検出し、試料を水平方向に移動させ、試料表面に対向し近接して配置された吸着用電極を、前記異物の帯電極性と異なる極性に帯電させ、接近する異物を該吸着用電極に静電吸着することで、試料表面上の異物検出を行うとともに、異物が検出されたときには、試料表面上の異物を除去するようにした試料表面上の異物除去方法を既に提案している（特開２００９−４１６１号公報（特許文献１）参照）。
【０００７】
また、プラズマ処理装置内に浮遊するパーティクルを集塵電極により積極的に集め、四重極リニアトラップ等を用いて特定の場所に蓄積し、これらを電気的に検出する、もしくはレーザ散乱光を用いて検出するようにしたパーティクルモニタも提案されている（特開２０１０−５６２７０号公報（特許文献２）参照）。
【０００８】
ＬＳＩのデザインルールの超微細化に伴い、試料表面への付着を防止する異物のサイズがより微小化し、検査装置等の動作によって発生するパーティクル等の異物の試料表面への付着が重大な問題となってきており、その対応が必要になってきている。
しかしながら、従来の異物付着防止機構では、例えば１００ｎｍ以下の微小なパーティクル等の異物が試料表面へ付着することを防止することが困難であった。特に、真空チャンバ内のステージ等に試料が設置されて電子線検査装置によって試料表面の検査等が行われている場合、装置自体からのパーティクル等の異物の発生を抑制することについて何ら考慮されていなかった。
【０００９】
特許文献１に記載の従来例は、試料表面に異物が付着したことを検出し、その後、付着した異物を試料表面から除去するようにしており、試料表面に異物が付着するのを防止することができるものではない。また、特許文献２に記載の従来例において、集塵電極は、例えばパーティクルモニタの先端に設けられており、プラズマ処理装置内に浮遊するパーティクルを集めるためのものであって、試料表面にパーティクルが付着するのを防止することができるものではない。
【００１０】
また、真空チャンバ内を真空排気する時の空気の流れによって生じる静電気が真空チャンバ内に残留するパーティクル等の異物を帯電させ、その帯電したパーティクル等の異物が、検査する試料表面に静電的に誘引されて付着し、試料表面を汚染する場合がある。従来の試料表面の検査に用いられる真空チャンバは、こうした、真空チャンバ内に残留するパーティクル等の異物が静電的に試料表面に誘引されることに対する対策が何ら施されておらず、こうした残留物に対しては、清掃を持って対処していた。このため、真空チャンバ内の清掃で除去できなかった残留物が試料表面に付着することを防止することが強く求められていた。
【００１１】
本発明は、上記問題点に鑑みて為されたものであり、その第１の目的は、試料表面に異物が付着することを極力防止できるようにした異物付着防止方法、及び試料表面に異物が付着するのを極力防止しつつ電子線を用いて試料表面を検査できるようにした電子線検査装置を提供することを目的としている。
【００１２】
また、特開２００５−２３５７７７号公報（特許文献３）には、電子線検査装置を用いた試料表面の観察方法が記載されており、該従来の方法では、開放欠陥や欠落欠陥が存在する部分で生じる画像中の濃淡（階調差）を利用している。開放欠陥や欠落欠陥といった欠陥が存在する部分では、正常部では本来生じることのない濃淡（階調差）が画像中に現れるため、従来の方法では、半導体ウェハの表面から得たウェハ表面画像を本来の（無欠陥試料の）表面画像と比較し、本来現れるはずのない濃淡が認められた場合に、当該部位を開放欠陥や欠落欠陥として判定するという手法を採用している。
【００１３】
しかしながら、特許文献３に開示されている観察方法では、観察対象の試料の構造や材料等によっては観察部位の階調差がもともと小さく、欠落欠陥や開放欠陥の検出が困難な場合があるという問題があった。
加えて、特に開放欠陥については、開放欠陥が存在する部位の画像が、正常部位の画像よりも濃くなる（より黒くなる）場合と薄くなる（より白くなる）場合とがある。このため、欠陥の検出や欠陥の種類を分類することが極めて困難であるという問題があった。
【００１４】
このような問題点に鑑み、本発明者らは、配線構造の欠陥検出において、欠陥部位と正常部位の階調差が大きく、白黒の濃淡の差が明確な試料面画像を取得し、欠陥の検出が容易な試料面観察方法を提供することを目的として検討を重ねた結果、特許文献３に開示された試料面観察方法が抱えていた問題は、欠落欠陥と開放欠陥を同一条件下で同時に検出を行う点にあると考えるに至り、新たな試料面観察方法を提案した（特開２００９−８７８９３号公報（特許文献４）参照）。
【００１５】
特許文献４には、絶縁材料と導電性材料を含む配線が形成された試料面に電子ビームを照射し、該試料面の構造情報を得た電子を検出することにより、試料面画像を取得して該試料面を観察する試料面観察方法であって、試料面画像における絶縁材料と導電性材料との輝度を等しくした状態で、電子ビームを試料面に照射することで絶縁材料と導電性材料以外の部分を容易かつ確実に検出することとし、さらに、試料面画像における絶縁材料及び導電性材料の輝度と異なる輝度の点を、試料面の開放欠陥として検出することで、開放欠陥を容易かつ確実に検出することを可能とする試料面観察方法が開示されている。
【００１６】
また、特許文献４には、試料面画像における絶縁材料と導電性材料との輝度差が最大となる状態で、電子ビームを試料面に照射することにより、欠落欠陥の周囲との識別が容易な試料面画像を取得して欠落欠陥の検出を容易かつ確実にすることとし、さらに、上記輝度差が最大となる状態を、試料面の構造情報を得た電子がミラー電子となるミラー電子領域において定めることとして、効果的に欠落欠陥を検出することを可能とする試料面観察方法も開示されている。
【先行技術文献】
【特許文献】
【００１７】
【特許文献１】特開２００９−４１６１号公報
【特許文献２】特開２０１０−５６２７０号公報
【特許文献３】特開２００５−２３５７７７号公報
【特許文献４】特開２００９−８７８９３号公報
【発明の概要】
【発明が解決しようとする課題】
【００１８】
しかしながら、従来の検査装置においても、異物（パーティクル）が試料表面に付着するのを完全に防止することは難しく、異物付着を防止する技術の更なる改善が望まれていた。
【００１９】
本発明は、上記の課題に鑑みてなされたもので、従来よりも更に異物が試料表面に付着するのを低減することのできる検査装置を提供することを目的とする。
【課題を解決するための手段】
【００２０】
本発明の検査装置は、電子線を用いて試料表面を検査する検査装置であって、電子ビーム源と、一次系レンズを備え、電子ビーム源から放射された電子ビームを導く一次電子光学系と、一次電子光学系により導かれた一次電子が照射される試料を配置するステージと、二次系レンズを備え、電子ビームの照射により試料の表面から放出された二次荷電粒子を導く二次電子光学系と、二次電子光学系により導かれた二次荷電粒子を検出する検出器と、ステージに配置される試料の表面を覆うようにステージの上方に設置され、電子線を通過させる貫通孔を内部に有する隙間制御板と、二次系レンズのうち貫通孔の内部に配置されるコンデンサレンズに取り付けられ、隙間制御板に対して垂直な方向でみたときの貫通孔とコンデンサレンズとの間の隙間をふさぐカバー部材と、を備えている。
【００２１】
これにより、隙間制御板の貫通孔とコンデンサレンズとの間の隙間（隙間制御板に対して垂直な方向でみたときの隙間）をカバー部材でふさぐことができる。例えば、カバー部材の外径は、隙間制御板の貫通孔より６ｍｍ〜２０ｍｍ大きくなるように構成される。このようなカバー部材を設けることにより、隙間制御板の貫通孔とコンデンサレンズとの間の隙間から異物（パーティクル）が試料表面に付着するのを低減することができる。
【００２２】
また、本発明の検査装置では、隙間制御板に対して平行な方向でみたときに、隙間制御板とカバー部材との間には、隙間が設けられてもよい。
【００２３】
このように、隙間制御板とカバー部材との間には隙間（隙間制御板に対して平行な方向でみたときの隙間）が設けられている。すなわち、隙間制御板とカバー部材とは互いに接触していない（非接触である）。これにより、隙間制御板の振動がコンデンサレンズに伝わるのを防止することができる。したがって、隙間制御板の振動の影響により画像が乱れるのを防ぐことができる。
【００２４】
また、本発明の検査装置では、隙間制御板に対して平行な方向でみたときの試料の表面と隙間制御板との間の隙間の幅は、５ｍｍ〜３０ｍｍであるため、電界分布が安定し、帯電した異物（パーティクル）を試料表面に寄せ付けないようにすることができる。
【００２５】
また、本発明の検査装置では、真空チャンバの天井面に、支柱が取り付けられ、隙間制御板は、支柱を介して真空チャンバ内に取り付けられてもよい。
【００２６】
このように、真空チャンバの天井面には支柱が取り付けられ、その支柱を介して隙間制御板が真空チャンバ内に取り付けられる。そのため、隙間制御板単独で電位を変えて電界のコントロールをすることができる。また、隙間制御板を取り外すことで、真空チャンバ内に手を入れるスペースを確保することができ、メンテナンス性が向上する。例えば、対物レンズの着脱が可能になる。また、ミラープレート上の機器のメンテナンスやクリーニングが可能になる。
【発明の効果】
【００２７】
本発明によれば、カバー部材を設けることにより、異物（パーティクル）が試料表面に付着するのを低減することができる。
【図面の簡単な説明】
【００２８】
【図１】本発明を適用可能な一例の検査装置の概要を示した図である。
【図２】本発明を適用可能な第１の実施形態の試料観察システムの概要を示した図である。
【図３】本発明の一実施形態の検査装置の要部概要を示す縦断正面図である。
【図４】図３の横断平面図であり、ステージ、試料及び第１の実施形態の集塵電極の関係を示す平面図である。
【図５】本発明の一実施形態に係る、ステージ、試料及び第２の実施形態の集塵電極の関係を示す平面図である。
【図６】本発明の一実施形態に係る、ステージ、円形状の試料及び第３の実施形態の集塵電極の関係を示す平面図である。
【図７】本発明の一実施形態に係る、ステージ、円形状の試料及び第４の実施形態の集塵電極の関係を示す平面図である。
【図８】本発明の一実施形態に係る、試料、集塵電極及び隙間制御板を拡大して示す断面図である。
【図９】本発明の一実施形態に係る、ステージの詳細を示す図である。
【図１０】本発明の一実施形態に係る、真空チャンバ内に配置された配線ボックス及びステージの概要を示す図である。
【図１１】本発明の一実施形態に係る、試料、他の集塵電極及び隙間制御板を拡大して示す断面図である。
【図１２】本発明の一実施形態に係る、試料、更に他の集塵電極及び隙間制御板を拡大して示す断面図である。
【図１３】本発明の一実施形態に係る、試料、及び更に他の集塵電極を拡大して示す断面図である。
【図１４】本発明の一実施形態に係る、試料、及び更に他の集塵電極及び隙間制御板を拡大して示す断面図である。
【図１５】本発明の第１の実施形態の検査装置の要部の説明図である。
【図１６】本発明の第２の実施形態の検査装置の説明図である。
【図１７】本発明の第３の実施形態の検査装置の説明図である。
【発明を実施するための形態】
【００２９】
以下、図面を参照して、本発明を実施するための形態を説明する。
図１は、本発明を適用可能な電子線検査装置の全体構成例の概略を示した図である。この電子線検査装置は、写像投影型の低加速電子ビーム装置であり、電子ビーム源３１０と、一次系レンズ３２０と、コンデンサレンズ３３０と、電磁場発生手段（Ｅ×Ｂ）３４０と、トランスファーレンズ３５０と、開口数（ＮＡ：Numerical Aperture）調整用のＮＡ調整用アパーチャ板３６０と、プロジェクションレンズ３７０と、検出器４００と、画像処理装置５００と、観察対象となる試料２００を載置するためのステージ１００と、照射エネルギ設定供給部６００とを備えている。
【００３０】
ＮＡ調整用アパーチャ板３６０には、少なくとも１つのＮＡアパーチャ３６１が設けられており、このＮＡアパーチャ３６１により開口数（ＮＡ）が決定される。ＮＡアパーチャ３６１は平面内での位置調整が可能であり、後述するＥ×Ｂ３４０の作用により方向付けが異なる導電領域の構造情報を得た電子と絶縁領域の構造情報を得た電子を、選択的に検出器４００に導くことができる。なお、この電子線検査装置は、必要に応じて、試料２００の表面に電子ビームを照射して試料表面を帯電させるための帯電ビーム照射手段７００を備える構成としてもよい。
【００３１】
試料２００の表面は、絶縁領域と導電領域を有しており、該試料表面の観察は、電子ビーム源３１０からの電子ビームの照射により行われる。電子ビーム源３１０は、例えば、電子源３１１と、ウェーネルト電極３１２と、アノード３１３とを備えており、電子源３１１で電子を発生させ、ウェーネルト電極３１２で電子を引き出し、アノード３１３で電子を加速して、試料表面に向けて照射する。
【００３２】
電子ビーム源３１０は、複数の画素を同時に撮像できるような、複数画素を包含できる所定の面積を有する面状の電子ビームを生成するように構成しても良い。これにより、１回の電子ビームの試料表面への照射で、複数画素を同時に撮像することができ、広い面積の二次元画像を高速に取得することができる。
【００３３】
照射エネルギ設定手段３１０は、電子ビーム源３１０から射出される電子ビームの照射エネルギを設定する手段である。照射エネルギ設定供給手段３１０は、負極が電子源に接続された可変電圧源を備え、電子ビーム源３１０に電力を供給し、電子源３１１から電子を発生させる。電子ビームの照射エネルギは、試料２００の電位と、電子ビーム源３１０の電子源３１１に備えられたカソードの電位との差により定められる。よって、照射エネルギ設定供給部６００は、その可変電圧源の電圧（以後、「加速電圧」と呼ぶ。）を調整することにより、照射エネルギを調整及び設定することができる。
【００３４】
本発明に係る電子線検査装置においては、照射エネルギ設定供給部６００により電子ビームの照射エネルギが適切な値に設定され、取得される画像のコントラストが高められる。本発明では、電子ビームの照射エネルギは、撮像電子ビームの照射により試料２００の表面の構造情報を得た電子がミラー電子と二次電子の双方を含む遷移領域に設定されるが、その照射エネルギの具体的な設定方法については、後述する。
【００３５】
一次系レンズ３２０は、電子ビーム源３１０から射出された電子ビームを電磁場の作用により偏向させ、試料２００の表面上の所望の照射領域に導くための手段である。なお、一次系レンズ３２０は、複数であっても１つであってもよい。各一次系レンズ３２０として、例えば、四極子レンズが用いられる。
【００３６】
Ｅ×Ｂ（Ｅ×Ｂ偏向器）３４０は、電子ビーム又は電子に電界と磁界を付与し、ローレンツ力により電子ビーム又は電子を方向付けし、電子ビーム又は電子を所定の方向に向かわせるための手段である。Ｅ×Ｂ３４０は、電子ビーム源３１０から射出された電子ビームについては、試料２００の表面に向かわせるローレンツ力を発生させるように、電界と磁界が設定される。
【００３７】
また、Ｅ×Ｂ３４０は、試料表面への電子ビームの照射により、該試料表面の構造情報を得た電子については、そのまま上方に直進させ、検出器４００の方向に向かわせるように電界と磁界が設定される。なお、後述するように、撮像電子ビームの照射により試料表面の構造情報を得た電子は、Ｅ×Ｂ３４０の作用により、電子ビームの入射方向と逆向きに進行する速度に応じて、電界と磁界により方向付けがなされる。
Ｅ×Ｂ３４０の作用により、試料表面に入射する電子ビームと、当該入射電子ビームとは逆向きに進行する試料表面から生じた電子とを、分離することができる。なお、Ｅ×Ｂは、ウィーンフィルタと呼んでもよい。
【００３８】
コンデンサレンズ３３０は、電子ビームを試料２００の表面に結像させるとともに、試料表面の構造情報を得た電子を収束させるためのレンズである。よって、コンデンサレンズ３３０は、試料２００の最も近傍に配置される。
トランスファーレンズ３５０は、Ｅ×Ｂ３４０を通過した電子を、検出器４００の方向に導くともに、ＮＡ調整用アパーチャ板３６０のＮＡアパーチャ３６１付近でクロスオーバーを結ばせるための光学手段である。
【００３９】
ＮＡ調整用アパーチャ板３６０は、通過電子数を調整するための手段である。ＮＡ調整用アパーチャ３６０は、その中央部に、開口数（ＮＡ）を決める孔部であるＮＡアパーチャ３６１を有している。ＮＡアパーチャ３６１は、トランスファーレンズ３５０により導かれた試料表面からの電子を通過させて検出器４００への通路となるとともに、撮像の雑音となる電子が検出器４００に向かうのを遮断し、通過電子数を調整する。また、上述したように、このＮＡアパーチャ３６１は、平面内で位置調整可能であり、Ｅ×Ｂ３４０の作用により方向付けが異なる導電領域の構造情報を得た電子と絶縁領域の構造情報を得た電子を、選択的に検出器４００に導くことができる。その詳細については後述する。なお、ＮＡアパーチャ３６１は孔径が異なる複数種類のものが設けられていてもよい。この場合、所望の孔径のＮＡアパーチャがＮＡアパーチャ移動機構（不図示）により選択される。
【００４０】
プロジェクションレンズ３７０は、ＮＡ調整用アパーチャ３６１を通過した電子について、検出器４００の検出面上に像を結像させるための最終焦点調整手段である。
【００４１】
検出器４００は、電子ビームが試料表面に照射され、試料表面の構造情報を得た電子を検出して、試料表面の画像を取得するための手段である。検出器４００として、種々の検出器を使用可能であるが、例えば、並列画像取得を可能にするＣＣＤ（Charge Coupled Device）検出器や、ＴＤＩ（Time Delay Integration）−ＣＣＤ検出器を使用することができる。ＣＣＤやＴＤＩ−ＣＣＤ等の二次元画像撮像型の検出器４００を用い、電子ビーム源３１０に複数画素を含む所定の面積を照射できる面ビームを用いることにより、１箇所のビーム照射で並列撮像による広い面積の画像取得が可能となり、試料表面の観察を高速で行うことができる。なお、ＣＣＤやＴＤＩ−ＣＣＤは、光を検出して電気信号を出力する検出素子であるので、検出器４００にＣＣＤやＴＤＩ−ＣＣＤを適用する場合には、電子を光に変換する蛍光板や、電子を増倍するＭＣＰ（マイクロチャンネルプレート）を必要とするので、検出器４００には、それらも含まれるようにする。
【００４２】
検出器４００は、EB-CCD又はEB-TDIを用いるようにしてもよい。EB-CCD及びEB-TDIは、二次元画像撮像型の検出器である点は、ＣＣＤ及びＴＤＩ−ＣＣＤと同様であるが、電子を直接検出し、光−電子間の変換を経ることなく、そのまま電気信号を出力するものである。よって、上述のような蛍光板やＭＣＰを必要とせず、途中の信号ロスが減少するので、高分解能な画像取得が可能となる。
【００４３】
画像処理装置５００は、検出器４００から出力された電気信号を記憶し該記憶された信号に基づいて、試料２００の表面の画像を生成する装置である。具体的には、検出器４００から出力された座標情報及び輝度情報に基づいて、二次元画像を生成する。表面に絶縁材料と導電材料を含む試料２００を観察するためには、絶縁領域と導電領域とに輝度差が発生して、コントラストの高い画像が取得されることが好ましいが、画像処理装置５００においては、良好な画像が取得できるように、必要な画像処理及び画像生成を行う。
【００４４】
ステージ１００は、上面に試料２００を載置して、試料２００を支持する手段である。ステージ１００は、試料表面２０１の被観察領域の全体に電子ビームの照射が可能なように、水平面内（ＸＹ面内）のＸ方向及びＹ方向に移動可能であり、水平面内で回転可能である。また、必要に応じて、鉛直方向（Ｚ方向）に移動可能として試料２００の表面の高さを調整できるように構成されていてもよい。ステージ１００を移動可能に構成さする場合には、例えば、モータやエア等の移動手段を設けるようにすればよい。
【００４５】
帯電電子ビーム照射手段７００は、電子ビーム源３１０から撮像用の撮像電子ビームを照射する前に、試料２００を帯電させるために設けられる。帯電電子ビーム照射手段７００は、必要に応じて設けられる。なお、試料表面を撮像する前に、該試料表面に予め電子ビームを照射すると、導電領域は帯電せずにその電位は接地電位のままであるのに対し、絶縁領域が負に帯電する。従って、これら導電領域と絶縁領域との間に、材料に応じた電位差を形成することができる。そしてこの電位差により、導電領域と絶縁領域とのコントラストを高めることができる。よって、撮像電子ビームの前に、帯電電子ビームを試料表面に照射したい場合に、帯電電子ビーム照射手段７００を設ければよい。
【００４６】
なお、帯電電子ビーム照射手段７００を別途設けることなく、電子ビーム源３１０が帯電電子ビーム照射手段を兼ねるようにしてもよい。つまり、帯電電子ビームは、帯電電子ビーム照射手段７００を用いずに、電子ビーム源３１０から照射してもよい。そして、この帯電電子ビームの照射に続いて、撮像用の電子ビームを試料２００の表面に照射するようにしてもよい。
【００４７】
よって、帯電電子ビーム照射手段１２０は、例えば、帯電電子ビームを試料表面２０１に照射したい場合であって、かつ、帯電電子ビームの照射の後、直ちに撮像用の電子ビームを照射したい場合等に設けるようにしてもよい。一般的に、撮像電子ビームと帯電電子ビームは照射エネルギが異なるので、帯電電子ビーム照射手段７００を設けることにより、帯電電子ビーム照射と撮像電子ビーム照射の間の照射エネルギの調整を不要とし、迅速な撮像を行うことができる。よって、観察時間の短縮等の要請が高い場合には、帯電電子ビーム照射手段７００を設けることにより、観察時間短縮の要請に応えることができる。
【００４８】
試料２００は通常、その表面に、絶縁材料からなる絶縁領域と導電材料からなる導電領域とを含む。試料２００は、種々の形状のものが適用され得るが、例えば、半導体ウェハ、レチクル等の基板状の試料が用いられる。本発明に係る電子線検査装置は、試料表面の絶縁領域が、導電領域よりも面積比が大きい場合にも、好適に試料表面を観察することができるように構成することが好ましい。このような構成により、例えば、半導体ウェハのコンタクトプラグや、レチクルのコンタクト構造についても、良好に試料表面の画像を取得し、観察を行うことができる。
【００４９】
なお、導電材料及び絶縁材料には種々の材料が適用され得るが、例えば、導電材料としてＷ（タングステン）等のプラグ材料、絶縁材料として半導体ウェハの絶縁層として利用されるＳｉＯ２（シリコン酸化膜）等が適用されてもよい。
図１の電子線検査装置は、上述したように、写像投影型の電子線検査装置であるが、ＳＥＭ型の電子線検査装置も本発明の電子線検査装置として適用可能である。
【００５０】
図２は、本発明に係る電子線検査装置を備えた第１の実施形態の試料観察システム（検査システム）の全体構成例を示した図で、この試料観察システムは、写像投影型の電子光学系と、光学顕微鏡による試料観察、及びＳＥＭ型電子光学系による試料観察が可能な、複合型試料観察システムとして構成されている。
【００５１】
図２に示した複合型の試料観察システムは、試料キャリア１９００と、ミニエンバイロメント１８００と、ロードロック１６２０と、トランスファーチャンバ１６１０と、メインチャンバ１６００と、写像投影型の電子コラム１３００と、画像処理装置５００とを備えている。ミニエンバイロメント１８００には、大気搬送ロボット、試料アライメント装置、クリーンエアー供給機構等が設けられている（図示せず）。また、常に真空状態のトランスファーチャンバ１６１には、真空用搬送ロボットが設けられており（図示せず）、これにより、圧力変動によるパーティクル等の発生を最小限に抑制することが可能である。
【００５２】
メインチャンバ１６００には、水平面内（ＸＹ平面内）でＸ方向、Ｙ方向、およびθ(回転)方向に移動可能なステージ１００が設けられており、該ステージ１００上には静電チャック（図３の１２０）が設置されている。試料そのもの或いはパレットや冶具に設置された状態の試料は、この静電チャックによりステージ１００上に載置される。
メインチャンバ１６００の内部は、真空制御系１５００により、真空状態が保たれるように圧力制御される。また、メインチャンバ１６００、トランスファーチャンバ１６１０及びロードロック１６２０は、除振台１７００上に載置され、床からの振動が伝達されないように構成されている。
【００５３】
メインチャンバ１６００には電子コラム１３００が設置されている。この電子コラム１３００には、図１に示した電子ビーム源３１０及び一次系レンズ３２０を含む一次光学系と、コンデンサレンズ３３０、Ｅ×Ｂ３４０、トランスファーレンズ３５０、ＮＡ調整用アパーチャ３６０板、及びプロジェクションレンズ３７０を含む二次光学系と、試料２００からの二次電子及びミラー電子を検出する検出器４００が設置されている。また、電子コラム１３００の関連構成要素として、試料の位置合わせに用いる光学的顕微鏡１４００や、レビュー観察に用いるＳＥＭ１４５０が備えられている。
【００５４】
検出器４００からの信号は、画像処理装置５００に送られて信号処理される。信号処理は、観察を行っているオンタイム中の処理と画像のみ取得して後で処理するオフライン処理の両方が可能である。画像処理装置５００で処理されたデータはハードディスクやメモリなどの記録媒体に保存される。また、必要に応じて、コンソールのモニタに表示することが可能である。例えば、観察領域・欠陥マップ・欠陥分類・パッチ画像等である。このような信号処理を行うため、システム制御部９５０が備えられている。また、電子コラム系１３００に電源を供給すべく、電子光学系制御電源１１８０が備えられている。電子光学系制御電源１１８０には、電子ビーム源３１０の電子源３１１に電力を供給する電源６００と、該電源を制御する照射エネルギ制御手段が含まれ、また、後述する試料の電位を設定するための電源及びその制御手段、並びに、後述する集塵電極へ印加する電圧の電源及びその制御手段が含まれている。
【００５５】
次に、試料の搬送機構について説明する。ウェハ、マスクなどの試料は、ロードポート１９００より、ミニエンバイロメント１８００中に搬送され、その中でアライメント作業がおこなわれる。さらに、試料は、大気搬送ロボットによりロードロック１６２０に搬送される。ロードロック１６２０内では、真空ポンプ（図示せず）により、大気状態から真空状態となるように排気がなされる。この排気によりロードロック１６２０内が一定圧力（例えば、１Ｐａ程度）以下になると、試料は、トランスファーチャンバ１６１０に設けられた真空搬送ロボットによりロードロック１６２０からメインチャンバ１６００に搬送され、ステージ１００が有する静電チャック機構の上に設置される。
【００５６】
図２のシステムにおいては、写像投影型電子線装置すなわち電子光学系１３００とＳＥＭ型電子光学系１４５０に共通するステージ１００上に試料２００が搭載されるため、試料２００が写像投影型の電子光学系１３００とＳＥＭ型の電子光学系１４５０との間を移動したときに、座標関係が一義的に求まり、同一部位の特定を高精度で容易に行うことができる。
【００５７】
つまり、分離された別々の検査装置の間で試料の移動を行う場合、別々のステージに試料を配置する必要があるため、試料のアライメントを夫々行う必要があり、このように、試料のアライメントを行っても、同一場所の特定誤差は５〜１０μｍ以上となってしまう。特に、パターンのない試料の場合は、位置基準が特定できないため、その誤差は更に大きくなる。
【００５８】
この例によれば、写像投影型の電子光学系１３００とＳＥＭ型の電子光学系１４５０との間で試料２００の移動を行った場合でも、高精度で同一場所を特定できるので、高精度で場所の特定が可能となり、例えば１μｍ以下の精度が可能となる。これにより、パターン及びパターン欠陥の検査を写像投影型の電子光学系１３００で行った場合、その検出した欠陥の特定及び詳細観察（レビュー）をＳＥＭ型の電子光学系１４５０で行う場合に大変有効となる。つまり、場所の特定ができるので、存在の有無（無ければ擬似検出）が判断できるだけでなく、欠陥の正確なサイズや形状を高速に行うことが可能となる。別々の装置であるとパターン欠陥とその特定に多くの時間を費やしてしまう。
【００５９】
本発明によれば、写像投影型及びＳＥＭ型の電子光学系が同一チャンバに搭載されているシステムを用いることにより、特に、１００ｎｍ以下の超微小なパターンの検査とその判定及び分類を効率よく、また、高速に行うことができる。
【００６０】
次に、図３−図２３を参照して、本発明に係る、試料表面にパーティクル等の異物が付着することを防止するための構成について、詳細に説明する。以下の例では、試料２００として、表面層に導電性の薄膜、例えば、Ｓｉ（ドープを含む），Ｃｒ，ＴａＮ，ＴａＢＮ，ＣｒＮ，Ｒｕ，Ｔａ，ＷまたはＣｕ等の薄膜を有する矩形状のマスクまたは円形の半導体ウェハを使用する。薄膜の最表面は、ＴａＢＯ，ＴａＯまたはＳｉ０２等の絶縁膜であっても良い。また、マスクとしては、例えば、石英やクオーツ基板に薄膜が形成されているものや、ＳｉウェハにＬＳＩ用の回路パターン膜構造が形成されているものが用いられる。
【００６１】
図３は、図１に示した本発明に係る電子線検査装置のステージ１００及びその周囲の部分を詳細に示す縦断正面図であり、図４は、図３の横断平面図である。図３及び図４に示すように、本発明に係る電子線検査装置は、真空排気可能な真空チャンバ１１２を備え、該真空チャンバ１１２の内部に、Ｘ方向及びＹ方向に移動自在なステージ１００が配置されている。そして、ステージ１００の上面に、この例では、矩形状のマスクからなる試料２００を保持したホルダ１１８が静電チャック１２０を介して設置されている。
【００６２】
ステージ１００は、試料（マスク）２００の有効領域の撮像や欠陥検査が可能なように、試料２００の有効距離＋助走距離（検査最高速度＊速度安定化時間）のストロークの移動領域を有している。例えば、Ｘ方向及びＹ方向の試料２００の有効距離３００ｍｍで、助走距離１００ｍｍ／ｓ＊０．５ｓ＝５０ｍｍのとき、ステージ１００は、４００ｍｍのストロークの移動領域を有する。
【００６３】
ステージ１００上に設置された試料２００と所定間隔離間して、該試料２００の全周囲を包囲する位置に、矩形枠状に連続して延びる、横断面矩形状の集塵電極１２２が配置されている。更に、ステージ１００に配置された試料（マスク）２００及び集塵電極１２２の上方に位置して、中央に貫通孔１２４ａを有する隙間制御板１２４が、真空チャンバ１２の内周面と僅かな隙間を持って水平に配置されている。この貫通孔１２４ａ内には、電子線検査装置の光学系要素すなわちコンデンサレンズ３３０が位置し、このコンデンサレンズ３３０を通して、ステージ１００上に配置された試料２００の表面に電子線が照射される。貫通孔１２４ａの大きさは、コンデンサレンズ３３０の外形よりも僅かに大きな大きさに設定されている。
【００６４】
集塵電極１２２は、磁場による電子線の曲がりや軌道変化を除くため、リン青銅やＴｉ等の非磁性材料で構成されている。電子線には、一次系の照射電子線、試料２００から放出される二次放出電子線及び試料２００の近傍で反射するミラー電子線等が含まれる。
【００６５】
隙間制御板１２４は、例えばリン青銅、ＴｉまたはＳＵＳ材等の、例えば板厚が０．３〜５ｍｍの平板で構成されている。電位を安定させたり汚染を防止したりするため、隙間制御板１２４として、Ａｕ，Ｐｔ，ＲｕまたはＯｓ等がコーティングされているものを用いることが好ましい。そして、隙間制御板１２４は、ステージ１００がその移動領域内を移動しても、集塵電極１２２が隙間制御板１２１の外側にはみ出さない領域をカバーする大きさに設定されている。これにより、ステージ１００が移動して、ステージ１００に配置された試料２００が真空チャンバ１１２内の最も偏った位置に移動した時に電界分布が崩れてパーティクルの軌道が変化することを防止して、パーティクルが試料２００まで飛んできて該試料の表面に付着することを防止することができる。なお、隙間制御板１２４は、必ずしも必要ではない。このことは、以下の各例においても同様である。
【００６６】
この例では、図４に示すように、矩形枠状に連続した集塵電極１２２を使用して、ステージ１００上に配置した試料２００の全周囲を集塵電極１２２で一体に包囲し、これによって、集塵電極１２２の長さ方向に沿った位置に隙間が生じて電界の不均一な部位が生じ、いわゆる電界の隙間から、パーティクルが集塵電極２２で包囲された内部に侵入してしまうことを防止することができる。
【００６７】
集塵電極１２２は、必ずしも試料２００の全周囲を包囲する必要はなく、集塵電極１２２で形成される電界が試料２００の周囲を包囲できれば良い。例えば、図５に示すように、直線状に延びる４つの集塵電極１２２ａを試料２００の各辺のほぼ全長に亘って延びるように配置して、試料２００の角近傍を除いてほぼ全外周を集塵電極１２２ａで包囲するようにしても良く、また図示しないが、直線状に延びる集塵電極が途中で互いに分離されるようにしてもよい。この場合、互いに隣接する集塵電極の間に電界の歪みが発生するが、集塵電極によって必要な電位の分布が得られればよい。例えば、二次元で考えて、集塵電極の幅をＤ、集塵電極の電極間の距離をＬとした時、Ｄ／Ｌ≧４であれば問題ない。このことは、以下の各実施例においても同様である。
【００６８】
図３〜図５に示した例では、試料２００として矩形のマスクを使用している。円形の半導体ウェハを試料として使用する時には、図６に示すように、ステージ１００上に円形のホルダ１１８ａで保持した円形の試料（半導体ウェハ）２００ａを設置し、該試料の周囲に円形リング状に連続した集塵電極１２２ｂを配置することで、試料２００ａの全周囲を一体に包囲する。この場合、図７に示すように、半円状の一対の集塵電極１２２ｃを真円となるように互いに対峙させて配置して、ステージ１００上に配置した円形の試料（半導体ウェハ）２００ａのほぼ全周囲を集塵電極１２２ｃで包囲するようにしても良く、また図示しないが、３以上の集塵電極を円周方向に沿って延びるように互いに離間させて配置するようにしても良い。
いずれの場合にも、ステージ１００上に配置された試料２００を取り囲む１又は複数の全ての集塵電極１２２に所定の電圧が印加して集塵を行い、その後に、電子ビーム源３１０（図１参照）から電子ビームを発生して、ステージ１００上の試料２００に電子ビームが照射される。そして、これにより試料から放出された二次電子又は試料表面及びその近傍から反射されたミラー電子を、検出器４００（図１参照）で検出し、画像処理装置５００において画像処理が行われ、試料表面の画像が得られる。
【００６９】
図８は、試料２００、集塵電極１２２及び隙間制御板１２４を拡大して示す図である。図８に示すように、試料２００には、該試料の表面に所定の電圧を印加する第１電源１２８が接続され、集塵電極１２２には、該集塵電極に所定の電圧を印加する第２電源１３０が接続される。集塵電極１２２の厚さは、例えば０．１〜５ｍｍである。集塵電極１２２の幅Ｗ１は、広ければ広い程良いが、広くなればなる程、真空チャンバ１１２内に占める集塵電極１２２のサイズが大きくなるため、一般には５〜５０ｍｍである。試料２００と集塵電極１２２との距離Ｌ１は、集塵電極１２２の幅Ｗ１との関係で、例えば０．５Ｌ１＜Ｗ１＜５Ｌ１の関係を満たす範囲で用いることが好ましい。
【００７０】
この例では、第１電源１２８を通して、試料２００の表面に、例えば−１〜−５ｋＶの電圧が印加され、集塵電極１２２には、第２電源１３０を通して、試料２００に印加される電圧と同じ極性で、試料２００に印加される電圧よりも絶対値が、例えば０．５〜５ｋＶ大きな電圧が印加される。つまり、例えば試料２００に−３ｋＶの電圧が印加される時には、集塵電極１２２には、−３．５〜−８ｋＶ、例えば−５ｋＶの電圧が印加される。
【００７１】
真空チャンバ１１２は、鉄材やアルミニウムなどの金属材料製でアース電位である。そして、真空チャンバ１１２の内部に存在するパーティクル等の異物が静電気等により帯電すると、試料２００の電位が負の場合では、正に帯電したパーティクル等の異物が電界に引かれて試料２００に向けて飛んでくる。
【００７２】
この例によれば、負の電位が印加される試料２００の全周囲を集塵電極１２２で包囲し該集塵電極１２２に試料２００に印加される電圧よりも負に大きな電圧を印加することにより、電界に引かれて飛んでくるパーティクル等の異物の大部分を集塵電極１２２で捕捉することができ、パーティクル等の異物が試料２００に向けて飛んで行って該試料の表面に付着する確率を大幅に低減することができる。これによって、試料２００の表面に異物が付着することを大幅に低減することができる。
【００７３】
この例では、さらに、集塵電極１２２から離れた軌道を通って試料２００の表面にパーティクル等の異物の付着を防止する隙間制御板１２４を備えている。隙間制御板１２４を備えることにより、集塵電極２２から離れた軌道を通るパーティクル等の異物に対する集塵電極１２２の吸引力が落ち、このため集塵電極１２２にパーティクル等の異物が捕捉される確率が距離に反比例して落ちる。異物補足の確率を低下させないために、試料２００に負の電圧を印加するとき、試料２００と集塵電極１２２との間の電界強度Ａが負（Ａ＜０）となるようにすることで、集塵電極１２２の吸引力を上げて、集塵電極１２２にパーティクル等の異物が捕捉される確率を高めることができる。その上で、隙間制御板１２４と集塵電極１２２との間の電界強度（絶対値）Ｂが０．１≦Ｂ（絶対値）≦１０ｋＶ／ｍｍの関係を持つようにすることで、集塵電極１２２にパーティクル等の異物が捕捉される確率を更に高めることができる。
【００７４】
例えば、試料２００に−１〜−５ｋＶの負の電圧を印加し、集塵電極１２２に試料２００に印加する負の電圧より−０．５〜−５ｋＶだけ負に大きな−１．５〜−１０ｋＶの負の電圧を印加する。隙間制御板１２４がアース電位のとき、試料２００と集塵電極１２２との距離Ｌ１＝１０ｍｍ、隙間制御板１２４と集塵電極１２２との距離Ｚ１＝８ｍｍとすると、試料２００と集塵電極１２２と間の電界強度Ａは負（Ａ＜０）となり、隙間制御板１２４と集塵電極１２２との間の電界強度（絶対値）Ｂ＝０．１９〜１．２５ｋＶ／ｍｍ（＝１．５〜１０ｋＶ／８ｍｍ）、特に、集塵電極１２２に−５ｋＶの電圧を印加すると、電界強度（絶対値）Ｂ＝０．６２５ｋＶ／ｍｍ（＝５ｋＶ／８ｍｍ）となって、有効な条件となる。このとき、空間の耐電圧として、１０ｋＶ／ｍｍを超えないようにすることで、空間で放電が起きることを防止することができる。
【００７５】
図９は、ステージ１００の詳細を示す。図９に示すように、ステージ１００は、Ｘステージ１３２とＹステージ１３４とを互いに積層して構成され、Ｘステージ１３２とＹステージ１３４との間には超音波モータ１３６が介装されている。ステージ１００の上面の集塵電極１２２の外方を包囲する位置には、上端が集塵電極１２２の上方に達する第１防塵カバー１４０が配置され、超音波モータ１３６の外側方には、該超音波モータ３６の収納部の開口端を閉塞する第２防塵カバー１４２が配置されている。
【００７６】
第１防塵カバー１４０を設置することで、試料２００の表面に向けてパーティクル等の異物が飛散して該表面に付着するのを防止することができる。また、パーティクルの発生源となる超音波モータ１３６の外側方に第２防塵カバー１４２を配置することで、超音波モータ１３６から飛散するパーティクル等の異物が真空チャンバ１１２の内部に飛散することを防止することができる。パーティクル等の異物の発生源から真空チャンバ１１２の内部にパーティクル等の異物が飛散することを防止することは、ピエゾアクチュエータ等の壁面を擦って駆動するタイプのモータ等を使用する場合に特に有効である。
【００７７】
この例では、図１０に詳細に示すように、真空チャンバ１１２の内部に密閉構造の配線ボックス１５０が配置されている。この配線ボックス１５０は、ケーブルの曲げや擦れによって該ケーブルから発生するパーティクル等の異物が真空チャンバ１１２の内部に飛散することを防止するためのものである。この例では、試料２００が配置されたステージ１００の移動等に伴うケーブル１５２の曲げが発生する部位が全て配線ボックス１５０の中に入っている。より詳細に説明すると、試料２００に所定の電圧を印加するための電源（図１の８００、図１１〜図１４の１２８）及び集塵電極１２２に所定の電圧を印加するための電源（図１１〜図１３の１３０）は、配線ボックス１５０の外部に設けられている。これら外部電源と端子台１５６との電気的接続は、端子台１５６から延びるケーブル（不図示）、及び、真空チャンバ１１２に設置されているフィードスルーを介して、外部電源に接続される。端子台１５６には、試料及び集塵電極への電源電圧印加用の２対の端子が設けられており、また、ケーブル１５２は電源電圧搬送用の２対の電源線を含み、２対の電源線それぞれの一端が端子台１５６の２対の端子に電気的に接続されている。なお、図示のように、ケーブル１６０の一端は、端子台１５６の近傍に配置された移動可能な移動板１５８に機械的に固定されている。移動板１５８と端子台１５６との間のケーブルの長さは、移動板１５８の移動範囲を考慮して余裕をもって設定される。一方、ステージ１００には固定板１５４が固定されており、該固定板にも、試料及び集塵電極への電圧印加用の２対の端子が設けられており、これら端子に、ケーブル１５２の対応する電源線が電気的に接続されかつ機械的に結合される。
そして、図示のように、ステージ１００に固定した固定板１５４に接続されたケーブル１５２は、ステージ１００から配線ボックス１５０に向けて直線状に延び、配線ボックス１５０に設けたスリット１５０ａを通過して配線ボックス１５０の内部に達し、しかる後、下方に向けて１８０°屈曲して反転している。そして、上述したように、ケーブル１５２の他端は、配線ボックス１５０の内部に配置した移動板１５８に機械的に固定されかつ先端が端子台１５６に接続されている。これにより、ステージ１００がＸ方向に移動した時、ケーブル１５２の配線ボックス１５０内の屈曲部１５２ａのみに曲げが生じる。
【００７８】
配線ボックス１５０の内部には、Ｙ方向（図１０の紙面に直交する方向）に沿って延びてケーブル１５２の案内となるガイドローラ１６０が配置されており、ステージ１００がＹ方向に移動した時に、ローラガイド１６０に沿ってＹ方向に移動し、かつ移動板１５８が移動するので、移動板１５８までのケーブル１５２にＹ方向のストレスが掛からないようになっている。
なお、上記した実施形態においては、移動可能な移動板１５８を設けているが、ケーブル１５２の屈曲部５２ａの伸縮のみによって、ステージ１００のＸ方向及びＹ方向の移動に伴うケーブル１５２の変動を吸収できるようにすれば、移動板の代わりに固定板を用いてケーブル５２を機械的に固定してもよい。
【００７９】
このように、ケーブル１５２の曲げ部が全て配線ボックス１５０内にあり、かつ、配線ボックス１５０の外部に通じる孔が小さいために、配線ボックス１５０内で発生したパーティクル等の異物が配線ボックス１５０の外に出る確率が大幅に減少して、その大部分が配線ボックス１５０の内壁に付着する。更にこの例では、配線ボックス１５０の内部に配線ボックス用の集塵電極１６２を配置し、該集塵電極１６２にパーティクル等の異物捕捉用の電圧を印加することにより、配線ボックス１５０からパーティクル等の異物が外側に飛散する確率をより大幅に低下させることができる。
【００８０】
なお、（１）ケーブルの長さを揃える、（２）インシュロック等でケーブルを固定して補正する、（３）ケーブルをフラットケーブルにする、といった対策を施すことで、複数のケーブルの擦れによるパーティクル発生を低減することができる。つまり、複数のケーブルの長さを揃えて固定すると、ケーブル束が一体となり、ステージが移動したときにケーブルに曲がりが生じるが、そのときのケーブル相互の擦れを低減させて、パーティクル等の異物の発生を低減させることができる。また、ケーブルをフラットケーブルにすることにより、複数の配線を一つのケーブルにすることが可能となり、ケーブル相互の擦れが無くなる。なお、多数配線を有するフラットケーブルが直ぐに使用できないときには、上記（１）と（２）とを組合せることが有効である。
【００８１】
上記の例では、横断面矩形状の集塵電極１２２を使用しているが、図１１に示すように、横断面円形の集塵電極１２２ｄを使用してもよい。この集塵電極１２２ｄの直径Ｄは、試料２００と集塵電極１２２ｄとの距離Ｌ２との関係で、０．５Ｌ２＜Ｄ＜５Ｌ２の関係を満たす範囲で用いることが好ましい。集塵電極１２２ｄの直径Ｄをこれより小さくすると集塵電極１２２ｄの捕捉確率が低下し、これより大きくても集塵電極１２２ｄの捕捉確率は変わらず、場合によっては、余計なパーティクル等の異物の捕捉を誘引することになる。
【００８２】
また、上記の例では、試料２００と所定間隔離間した位置に集塵電極１２２を配置し、試料２００に印加される電圧と同じ極性で試料２００に印加される電圧よりも絶対値が大きな電圧を集塵電極１２２に印加するようにしているが、図１２に示すように、試料２００の外周縁部に内周縁部を接触させつつ、該試料の全周囲を包囲するように、矩形枠状に連続した、横断面矩形状の集塵電極１２２ｅを配置し、第１電源１２８を通じて試料２００に印加される電圧と同じ電圧を、第２電源１３０を通じて集塵電極１２２ｅに印加するようにしても良い。この集塵電極１２２ｅの厚さは、例えば０．１〜５ｍｍで、幅Ｗ２は、前述の集塵電極１２２と同様で、例えば５〜５０ｍｍである。
【００８３】
図１２の例では、試料２００の外形よりも小さい内形を有する集塵電極１２２ｅを使用し、集塵電極１２２ｅの内周縁部を試料１６の外周縁部に接触させているが、図１３に示すように、矩形枠状で、内形を試料２００の外形より僅かに大きくした集塵電極１２２ｆを使用し、試料２００の全周囲を集塵電極１２２ｆが僅かな隙間Ｓを空けて包囲するように、該集塵電極１２２ｆを配置するようにしても良い。この隙間Ｓは、例えば１〜５００μｍである。
【００８４】
図１２の例では、第１電源１２８を通して、試料２００に、例えば−１〜−５ｋＶの負の電圧が印加され、集塵電極１２２ｅにも、第２電源１３０を通して、試料２００に印加される電圧と同じ電圧、つまり、例えば試料２００に−３ｋＶの電圧が印加される時には、−３ｋＶの電圧が印加される。
【００８５】
前述と同様に、試料２００の電位が負の場合では、正に帯電したパーティクル等の異物が電界に引かれて試料２００に向けて飛んでくる。図１２の例によれば、試料２００の電位と同電位の集塵電極１２２ｅが試料２００の全周囲を包囲する位置に配置されているため、電界に引かれて飛んでくるパーティクル等の異物の大部分は、集塵電極１２２ｅで捕捉される。このように、試料２００の周囲に配置した集塵電極１２２ｅでパーティクル等の異物の大部分を捕捉することができるので、試料２００の表面に飛んできて該表面に付着するパーティクル等の異物を少なくし、これによって、試料２００の表面に異物が付着するのを防止することができる。
【００８６】
図１２の例では、集塵電極１２２ｅと隙間制御板１２４との距離をＺ２とした時、集塵電極１２２ｅの幅Ｗ２との関係で、Ｗ２＞４Ｚ２の時に特に効果的である。また、集塵電極１２２ｅと隙間制御板１２４と間の電圧密度Ｂの大きさ（絶対値）を０．１ｋＶ／ｍｍより大きくした時（Ｂ（絶対値）＞０．１ｋＶ／ｍｍ）、更に有効になる。
【００８７】
図１４は、前述の図８に示す例と図１２に示す例とを組合せた更に他の例を示す。この例では、試料２００の外周縁部に内周縁部を接触させつつ、該試料の全周囲を包囲するように、例えば矩形枠状に連続した、横断面矩形状の第１集塵電極１７０を配置し、第１集塵電極１７０と所定間隔離間した位置に、該第１集塵電極１７０の全周囲を包囲するように、例えば矩形枠状に連続した、横断面矩形状の第２集塵電極１７２を配置している。そして、第１集塵電極１７０には第２電源１７４を接続し、第２集塵電極１７２には第３電源１７６を接続している。
【００８８】
なお、上述のように、直線状に延びる第２集塵電極を第１集塵電極の各辺のほぼ全長に亘って延びるように配置して、第１集塵電極のほぼ全外周を第２集塵電極で包囲するようにしても良く、また直線状に延びる第２集塵電極が途中で互いに分離されるようにしてもよい。
【００８９】
図１４の例では、前述と同様に、第１電源１２８を通して、試料２００に、例えば−１〜−５ｋＶの電圧が印加され、第１集塵電極１７０に、試料２００に印加される電圧と同じ電圧、例えば試料２００に−３ｅＶが印加されるときには−３ｅＶが印加される。更に、第２集塵電極１７２には、試料２００に印加される電圧と同じ極性で試料２００に印加される電圧よりも絶対値が、例えば０．５〜５ｋＶ大きな電圧が印加される。つまり、例えば試料２００に−３ｋＶの電圧が印加される時には、第２集塵電極１７２には、−３．５〜−８ｋＶ、例えば−５ｋＶの電圧が印加される。
【００９０】
この例にあっても、前述の図８等に示す例とほぼ同様に、試料１６に負の電圧を印加する時、試料２００と第２集塵電極１７２との間の電界強度Ａが負（Ａ＜０）となるようにすることで、第２集塵電極１７２の吸引力を増大して、第２集塵電極１７２にパーティクル等の異物が捕捉される確率を高めることができる。その上で、隙間制御板１２４と第２集塵電極１７２との間の電界強度（絶対値）Ｂが０．１≦Ｂ（絶対値）≦１０ｋＶ／ｍｍの関係を持つようにすることで、第２集塵電極１７２にパーティクル等の異物が捕捉される確率を更に高めることができる。
【００９１】
第１集塵電極１７０は、前述の図１１に示す集塵電極１２２ｅと同様に、厚さは、例えば０．１〜５ｍｍで、幅Ｗ３は、例えば５〜５０ｍｍである。また、第２集塵電極１７２は、前述の図６に示す集塵電極１２２と同様に、厚さは、例えば０．１〜５０ｍｍで、幅Ｗ４は、例えば５〜５０ｍｍ程度である。
【００９２】
そして、例えば、試料２００及び第１集塵電極１７０に、−１〜−５ｋＶの負の電圧を印加し、第２集塵電極１７２に試料２００及び第１集塵電極１７０に印加する負の電圧より−０．５〜−５ｋＶだけ負に大きな−１．５〜−１０ｋＶの負の電圧を印加する。隙間制御板１２４がアース電位のとき、隙間制御板１２４と第２集塵電極１７２との距離Ｚ８＝８ｍｍとすると、試料２００と第２集塵電極１７２と間の電界強度Ａは負（Ａ＜０）となり、隙間制御板１２４と第２集塵電極１７２との間の電界強度（絶対値）Ｂ＝０．１９〜１．２５ｋＶ／ｍｍ（＝１．５〜１０ｋＶ／８ｍｍ）、特に、集塵電極１２２に−５ｋＶの電圧を印加すると、電界強度（絶対値）Ｂ＝０．６２５ｋＶ／ｍｍ（＝５ｋＶ／８ｍｍ）となって、有効な条件となる。このとき、空間の耐電圧として、１０ｋＶ／ｍｍを超えないようにすることで、空間で放電が起きることを防止することができる。
【００９３】
（第１の実施の形態）
本発明の第１の実施の形態の検査装置の構成を、図１５を参照して説明する。図１５は、本実施の形態の検査装置の要部を示す説明図である。図１５に示すように、本実施の形態の検査装置１０は、隙間制御板２４とコンデンサレンズ２６との間の隙間をふさぐカバー部材２８を備えている（図１６もあわせて参照）。隙間制御板２４は、ステージ１４に配置される試料１６の表面を覆うようにステージ１４の上方に設置される。また、隙間制御板２４の中央部（内部）には、電子線を通過させる貫通孔２４ａが設けられている。二次系レンズのうちのコンデンサレンズ２６は、この貫通孔２４ａの内部に配置される。カバー部材２８の材料は、絶縁物（例えば、セラミックまたはテフロン（登録商標））である。
【００９４】
そして、図１５に示すように、隙間制御板２４に対して垂直な方向（視線方向）でみたときに、貫通孔２４ａとコンデンサレンズ２６との間の隙間は、カバー部材２８によってふさがれている。例えば、カバー部材の外径は、貫通孔２４ａの内径よりＬ２（３ｍｍ〜１０ｍｍ）だけ大きくなるように構成される。
【００９５】
一方、図１５に示すように、隙間制御板２４に対して平行な方向（視線方向）でみたときに、隙間制御板２４とカバー部材２８との間には、隙間が設けられている。例えば、コンデンサレンズ２６の光軸と平行な方向（視線方向）で、隙間制御板２４とカバー部材２８との間には、Ｌ１（０．５ｍｍ〜３ｍｍ）の隙間が形成されている。また、コンデンサレンズ２６の光軸と垂直な方向（視線方向）で、隙間制御板２４とカバー部材２８との間には、Ｌ３（０．５ｍｍ〜２ｍｍ）の隙間が形成されている。
【００９６】
なお、ここでは図示を省略するが、上述のとおり、本実施の形態の検査装置は、電子ビーム源と、電子ビーム源から放射された電子ビームを導く一次電子光学系と、一次電子光学系により導かれた一次電子が照射される試料を配置するステージと、電子ビームの照射により試料の表面から放出された二次荷電粒子を導く二次電子光学系と、二次電子光学系により導かれた二次荷電粒子を検出する検出器を備えている。そして、一次電子光学系は、一次系レンズを備えており、二次電子光学系は、二次系レンズを備えている。
【００９７】
このような本発明の第１の実施の形態の検査装置１０によれば、カバー部材２８を設けることにより、試料１６の表面に異物（パーティクル）が付着するのを低減することができる。すなわち、本実施の形態では、図１５に示すように、隙間制御板２４の貫通孔２４ａとコンデンサレンズ２６との間の隙間（隙間制御板２４に対して垂直な方向（視線方向）でみたときの隙間）をカバー部材２８でふさぐことにより、試料１６の表面に異物（パーティクル）が付着するのを低減することができる。
【００９８】
また、本実施の形態では、隙間制御板２４とカバー部材２８との間に隙間（隙間制御板２４に対して平行な方向（視線方向）でみたときの隙間）が設けられている。すなわち、隙間制御板２４とカバー部材２８とが互いに接触していない（非接触である）。これにより、隙間制御板２４の振動がコンデンサレンズ２６に伝わるのを防止することができ、隙間制御板の振動で画像が乱れるのを防ぐことができる。
【００９９】
（第２の実施の形態）
次に、本発明の第２の実施の形態の検査装置について説明する。ここでは、第２の実施の形態の検査装置が、第１の実施の形態と相違する点を中心に説明する。ここで特に言及しない限り、本実施の形態の構成および動作は、第１の実施の形態と同様である。
【０１００】
図１６は、本実施の形態の検査装置の説明図である。図１６に示すように、本実施の形態の検査装置１０は、試料表面への異物付着を低減するための集塵器２２を備えていない（図１７もあわせて参照）。この場合、隙間制御板２４に対して垂直な方向（視線方向）でみたときの貫通孔２４ａとコンデンサレンズ２６との間の隙間の幅Ｄは、５ｍｍ〜３０ｍｍである。
【０１０１】
このような本発明の第２の実施の形態の検査装置によれば、試料の表面と隙間制御板との間の隙間（隙間制御板に対して垂直な方向（視線方向）でみたときの隙間）の幅は、僅か（５ｍｍ〜３０ｍｍ）であるため、電界分布が安定し、帯電した異物（パーティクル）を試料表面に寄せ付けないようにすることができる。
【０１０２】
（第３の実施の形態）
次に、本発明の第３の実施の形態の検査装置について説明する。ここでは、第３の実施の形態の検査装置が、第２の実施の形態と相違する点を中心に説明する。ここで特に言及しない限り、本実施の形態の構成および動作は、第２の実施の形態と同様である。
【０１０３】
図１７は、本実施の形態の検査装置の説明図である。図１７に示すように、本実施の形態の検査装置では、真空チャンバ１２の天井面に、支柱３０が取り付けられており、隙間制御板２４は、支柱３０を介して真空チャンバ１２内に取り付けられている。例えば、支柱３０の長さは、７０ｍｍ〜１５０ｍｍであることが望ましい。
【０１０４】
また、本実施の形態の検査装置１０は、試料表面への異物付着を低減するための集塵器２２を備えている。ただし、第２の実施の形態と同様に、試料表面への異物付着を低減するための集塵器２２は、必ずしも備えられていなくてもよい。
【０１０５】
このような本発明の第３の実施の形態の検査装置によれば、真空チャンバ１２の天井面には支柱３０が取り付けられ、その支柱３０を介して隙間制御板２４が真空チャンバ１２内に取り付けられる。そのため、隙間制御板２４単独で電位を変えて電界のコントロールをすることができる。また、隙間制御板２４を取り外すことで、真空チャンバ１２内に手を入れるスペースを確保することができ、メンテナンス性が向上する。例えば、対物レンズの着脱が可能になる。また、ミラープレート上の機器のメンテナンスやクリーニングが可能になる。
【０１０６】
以上、本発明の実施の形態を例示により説明したが、本発明の範囲はこれらに限定されるものではなく、請求項に記載された範囲内において目的に応じて変更・変形することが可能である。
【産業上の利用可能性】
【０１０７】
以上のように、本発明にかかる検査装置は、カバー部材を設けることにより、異物（パーティクル）が試料表面に付着するのを低減することができるという効果を有し、半導体検査装置等として用いられ、有用である。
【図１】
2014212091.tif 000003
【図２】
2014212091.tif 000004
【図３】
2014212091.tif 000005
【図４】
2014212091.tif 000006
【図５】
2014212091.tif 000007
【図６】
2014212091.tif 000008
【図７】
2014212091.tif 000009
【図８】
2014212091.tif 000010
【図９】
2014212091.tif 000011
【図１０】
2014212091.tif 000012
【図１１】
2014212091.tif 000013
【図１２】
2014212091.tif 000014
【図１３】
2014212091.tif 000015
【図１４】
2014212091.tif 000016
【図１５】
2014212091.tif 000017
【図１６】
2014212091.tif 000018
【図１７】
2014212091.tif 000019